(57)【要約】      （修正有）【課題】識別性および装飾性に優れた眼鏡フレームを提供する。【解決手段】眼鏡フレーム１であって、眼鏡フレーム１のテンプル部６０に貫通孔６１を有する。貫通孔６１にリングを備え、リングの一部が貫通孔６１を通っている。リングの表面が金であり、金は、１８金以上、２４金以下である。【選択図】図１
0003194450.tif 000002
【実用新案登録請求の範囲】
【請求項１】
眼鏡フレームであって、
前記眼鏡フレームのテンプル部に貫通孔を有する、眼鏡フレーム。
【請求項２】
前記貫通孔にリングを備え、
前記リングの一部が前記貫通孔を通っている、請求項1に記載の眼鏡フレーム。
【請求項３】
前記リングの表面が金であり、
前記金は、18金以上、24金以下である、請求項2に記載の眼鏡フレーム。
【請求項４】
前記リングは真円である、請求項2又は3に記載の眼鏡フレーム。
【請求項５】
前記リングは、切れ目のないリングである、請求項2〜4のいずれか1つに記載の眼鏡フレーム。
【考案の詳細な説明】
【技術分野】
【０００１】
本考案は、眼鏡フレームに関する。
【背景技術】
【０００２】
眼鏡フレームは、レンズを保持することによって視機能を補助する機能や、装用者の目に対して異物の侵入を防ぐ機能等を有している。また、眼鏡フレームは、ファッション等に用いられる場合がある。
【考案の概要】
【考案が解決しようとする課題】
【０００３】
しかしながら、従来技術は、以下の点で改善の余地を有していた。
従来の眼鏡フレームは、同一のものであると他人の眼鏡と区別するのが難しかった。また、眼鏡フレームの構造上、あとからファッション性を付加させることが難しかった。
【０００４】
本考案は、以上の事情に鑑みてなされたものであり、識別性および装飾性に優れた眼鏡フレームを提供することを目的とする。
【課題を解決するための手段】
【０００５】
本考案によれば、眼鏡フレームのテンプル部に貫通孔を有する眼鏡フレームが提供される。
この構成によれば、装飾品を眼鏡フレームに取り付けることができるので、同じ眼鏡フレームであっても他人の眼鏡と区別することができ、さらにファッション性を向上することができる。
【考案の効果】
【０００６】
本考案によれば、眼鏡フレームに装飾品等を装着できることにより、眼鏡クレームに対してオリジナリティを付与することができるという優れた効果を奏する。
【図面の簡単な説明】
【０００７】
【図１】図1は、本実施形態における眼鏡フレームの一例である。
【図２】図2は、本実施形態における眼鏡フレームの一例である。
【図３】図3は、本実施形態における眼鏡フレームの一例のテンプル部の断面図である。
【図４】図4は、本実施形態における眼鏡フレームの一例のテンプル部の断面図である。
【考案を実施するための形態】
【０００８】
以下、図面を用いて本考案の実施の形態について説明する。以下の実施形態は、例示であって、本考案の範囲は、以下の実施形態で示すものに限定されない。
【０００９】
以下、図１を用いて、本考案の一実施形態の眼鏡フレームについて説明する。
図１は、本実施形態における眼鏡フレームの一例である。眼鏡フレーム1は、レンズ部２０を保持する左右一対のリム部３０と、リム部３０の外側外周部に取り付けられたヨロイ部４０と、ヨロイ部４０にヒンジ部５０を介して左右方向に開閉自在に設けられたテンプル部６０およびパット部（図示せず）等を備えている。
テンプル部６０は、貫通孔６１を有している。例えば、リング７０や装飾品１００の一部を貫通孔６１に通すことによって、リング７０や装飾品１００を眼鏡フレームに装着することが可能となる。
【００１０】
＜眼鏡フレームのテンプル部の材質＞
本実施形態の眼鏡フレーム１のテンプル部６０の材質は、特に限定しないが、金属又はプラスチック等が挙げられる。好ましいのは、プラスチックであり、例えば、セルロイド、アセテート、ナイロン樹脂などが好適に用いられる。
【００１１】
＜貫通孔＞
本実施形態の眼鏡フレーム１のテンプル部６０における貫通孔６１の位置は、特に限定しないが、貫通孔６１の中心がテンプル部６０におけるヨロイ部４０側の末端から１０ｃｍ以内に位置するのが好ましい。より好ましくは、貫通孔６１の中心がテンプル部６０においてヨロイ部４０側の末端から５ｃｍ以内に位置することである。また、眼鏡フレーム１において、左右対称になるように貫通孔６１を配置するのが好ましい。
本実施形態の眼鏡フレーム１のテンプル部６０における貫通孔６１の数は、特に限定しないが、左右一対のテンプル部６０の場合、少なくとも左右どちらか一方のテンプル部において貫通孔６１を１つ以上有することが好ましい。より好ましくは、貫通孔６１の数が、一方のテンプル部６０において１つ以上であり、他の方のテンプル部６０において１つ以上である。
【００１２】
本実施形態の眼鏡フレーム１のテンプル部６０における貫通孔６１の形は、特に限定しないが、例えば、円形、三角形、四角形、星形、多角形等が挙げられる。好ましいのは、円形である。より好ましくは真円である。
本実施形態の眼鏡フレーム１のテンプル部６０における貫通孔６１の大きさは、装用者が眼鏡フレームを装着できる程度の眼鏡フレーム１の強度であれば、特に限定しないが、直径１mm以上10mm以下が好ましい。
【００１３】
＜リング＞
本実施形態の眼鏡フレーム１におけるテンプル部６０の貫通孔６１は、特に限定しないが、貫通孔６１にリング７０を備え、リング７０の一部が貫通孔６１を通っていることが好ましい。特に好ましくは、例えば図２のようにリング７０の一部が貫通孔６１を通り、リング７０の一部がテンプル部６０の下方の外側に位置することである。貫通孔６１にリング７０を備えることで、容易に装飾品１００を、リング７０を介して眼鏡フレーム１に取り付けることができる。
【００１４】
本実施形態の眼鏡フレーム１の貫通孔６１を通っているリング７０の材質は、特に限定しないが、例えば、鉄、銅、アルミニウム、金、銀、鉛、プラチナ、合金、プラスチック、ゴム等が挙げられる。
また、本実施形態のリング７０は、特に限定しないが、リング７０の表面が金であることが好ましい。より好ましくは、リング７０の表面の金が、18金以上24金以下である。例えば、鉄のリング等の表面に金をコーティングすることによって、リング７０が眼鏡フレーム装用者の顔に触れたとしても眼鏡フレーム装用者が金属アレルギーを起こす確率を低減させることができる。
【００１５】
本実施形態の眼鏡フレーム１の貫通孔６１を通っているリング７０の形状は、特に限定しないが、真円であることが好ましい。真円にすることによってファッション性が向上する場合がある。
【００１６】
本実施形態の眼鏡フレーム１の貫通孔６１を通っているリング７０は、特に限定しないが、切れ目のないリングであることが好ましい。そうすることで、眼鏡フレーム１のテンプル部６０からリング７０の脱落を軽減することができる。また、リング７０に切れ目がないことから外観がよくなりよりファッション性が向上する。
切れ目のないリングは、コーティングや溶接等の従来技術を用いて作成することができる。
例えば、切断の部分があるリングの一部を貫通孔に通した後に、リングの切断の部分で溶接などを行うことで、切断の部分を繋げて切断の部分を無くすことができる。
なお、本考案において、「切れ目のない」とはリングが完全に切断されていない状態を示す。例えば、リングの表面がつながっておりリング中央部分が切断されている場合や、リングの表面に切り込みがあるがリング中央部分がつながっている状態は、切れ目のないリングに該当する。
【００１７】
本実施形態の眼鏡フレーム１の貫通孔６１を通っているリング７０の内径は、特に限定しないが、リング７０を介して装飾品１００が取り付けることができる大きさであればよい。例えば、リング７０の内径は、5mm〜2cmが好ましい。リング部７０に装飾品１００を取り付けることで、眼鏡装用者が自分の好みや気分に合わせて自由に取り付けることができことによって眼鏡フレーム１のファッション性が向上する。
本実施形態の眼鏡フレーム１の貫通孔６１を通っているリング７０の幅ｗは、リング７０の一部が貫通孔６１を通れば、特に限定しないが、リング７０の幅ｗは、1mm以上が好ましい。リング７０の幅ｗが１mm未満の場合、リング７０の耐久性が劣りリング７０に取り付けた装飾品１００によって、リング７０が破損する場合がある。
【００１８】
＜装飾品＞
貫通孔６１またはリング部７０を介して取り付ける装飾品１００は、特に限定しないが、貴金属、金属、宝石、合成樹脂、セラミックス等の材質のものが挙げられる。また装飾品１００の形状は、特に限定しないが、ネックレス、ピアス、イヤリング、ブローチ等が挙げられる。
装飾品１００を眼鏡フレームに装着することにより、眼鏡クレームに対してオリジナリティを付与することができる。
【符号の説明】
【００１９】
１    眼鏡フレーム
２０  レンズ部
３０  リム部
４０  ヨロイ部
５０  ヒンジ部
６０  テンプル部
６１  貫通孔
７０  リング
１００  装飾品
【図１】
0003194450.tif 000003
【図２】
0003194450.tif 000004
【図３】
0003194450.tif 000005
【図４】
0003194450.tif 000006